(57)【要約】【課題】一つの気筒に対して複数のインジェクタから燃料を噴射する態様の内燃機関における、インジェクタから発生する騒音によるＮＶ性能の低下を有効に回避する。【解決手段】一つの気筒に対して複数のインジェクタから燃料を噴射する内燃機関を制御するものであって、エンジン回転数または車速が所定値以下であるアイドル運転時または低速運転時において、一つの気筒に対する複数のインジェクタのうちの一方の閉弁タイミングと他方の閉弁タイミングとの間に時間差を設けることとし、その時間差を、インジェクタの閉弁動作に伴い発生する騒音のピーク周波数に対応する波長の半分または約半分の大きさに設定する内燃機関の制御装置を構成した。【選択図】図２
2018135831.tif 000002
【特許請求の範囲】
【請求項１】
一つの気筒に対して複数のインジェクタから燃料を噴射する内燃機関を制御するものであって、
エンジン回転数または車速が所定値以下であるアイドル運転時または低速運転時において、一つの気筒に対する複数のインジェクタのうちの一方の閉弁タイミングと他方の閉弁タイミングとの間に時間差を設けることとし、その時間差を、インジェクタの閉弁動作に伴い発生する騒音のピーク周波数に対応する波長の半分または約半分の大きさに設定する内燃機関の制御装置。
【発明の詳細な説明】
【技術分野】
【０００１】
本発明は、一つの気筒に対して複数のインジェクタから燃料を噴射する態様の内燃機関を制御する制御装置に関する。
【背景技術】
【０００２】
燃焼効率の一層の向上を目論み、近時では、一つの気筒に対して二基のインジェクタから燃料を噴射するデュアルインジェクタエンジンの採用が進んでいる（例えば、下記特許文献を参照）。
【先行技術文献】
【特許文献】
【０００３】
【特許文献１】特開２００９−２３５９２９号公報
【発明の概要】
【発明が解決しようとする課題】
【０００４】
内燃機関の各気筒に対して複数のインジェクタを設置するということは、インジェクタの総数が倍増することを意味する。その結果として、インジェクタの開閉動作に伴い発生する機械的な騒音、特に弁体であるニードルが弁座に着座するときの衝突音が多く発生するようになる。アイドル運転時や低速運転時のような、内燃機関及び駆動系から発生する他の騒音が比較的小さい状況下では、このインジェクタによる騒音がマスキングされず、車両の搭乗者の耳に明瞭に聞こえるようになる。
【０００５】
インジェクタの低騒音化を目的としてニードルの質量やそのストローク量を調整することは、インジェクタの燃料噴射特性に多大な影響を及ぼすために困難を伴う。無論、インジェクタの周囲に遮音インシュレータを設けたり、エンジンルームに吸音材を敷設したりして騒音の抑制を図ることも考えられるが、これらによるコストの騰貴を招く点は否めない。
【０００６】
以上の問題に初めて着目してなされた本発明は、一つの気筒に対して複数のインジェクタから燃料を噴射する態様の内燃機関において、インジェクタから発生する騒音によるＮＶ（Ｎｏｉｓｅ  ａｎｄ  Ｖｉｂｒａｔｉｏｎ）性能の低下を有効に回避することを所期の目的としている。
【課題を解決するための手段】
【０００７】
本発明では、一つの気筒に対して複数のインジェクタから燃料を噴射する内燃機関を制御するものであって、エンジン回転数または車速が所定値以下であるアイドル運転時または低速運転時において、一つの気筒に対する複数のインジェクタのうちの一方の閉弁タイミングと他方の閉弁タイミングとの間に時間差を設けることとし、その時間差を、インジェクタの閉弁動作に伴い発生する騒音のピーク周波数に対応する波長の半分または約半分の大きさに設定する内燃機関の制御装置を構成した。
【発明の効果】
【０００８】
本発明によれば、一つの気筒に対して複数のインジェクタから燃料を噴射する態様の内燃機関における、インジェクタから発生する騒音によるＮＶ性能の低下を有効に回避できる。
【図面の簡単な説明】
【０００９】
【図１】本発明の一実施形態における車両用内燃機関及び制御装置の概略構成を示す図。
【図２】同実施形態の制御装置がプログラムに従い実行する処理の手順例を示すフロー図。
【発明を実施するための形態】
【００１０】
本発明の一実施形態を、図面を参照して説明する。図１に、本実施形態における車両用内燃機関の概要を示す。本実施形態における内燃機関は、火花点火式の４ストロークエンジンであり、複数の気筒１（例えば、三気筒。図１には、そのうち一つを図示している）を具備している。
【００１１】
各気筒１の吸気ポート近傍には、燃料を噴射するインジェクタ１１を気筒１毎に設けている。インジェクタ１１は、内蔵するソレノイドに通電されることにより、弁体であるニードルが弁座から離反して開弁するものである。なお、本実施形態では、各気筒１に対して複数、例えば二基（三気筒エンジンであれば、計六基）のインジェクタ１１を設置することとしている。一つの気筒１に対応する複数のインジェクタ１１は、当該気筒１に連なる複数の吸気ポートの各々に分散させて配置してもよいし、一つの吸気ポートに直列に配置してもよい。
【００１２】
また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１３】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１４】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１５】
外部ＥＧＲ（Ｅｘｈａｕｓｔ  Ｇａｓ  Ｒｅｃｉｒｃｕｌａｔｉｏｎ）装置２は、いわゆる高圧ループＥＧＲを実現するものであり、排気通路４における触媒４１の上流側と吸気通路３におけるスロットルバルブ３２の下流側とを連通する外部ＥＧＲ通路２１と、ＥＧＲ通路２１上に設けたＥＧＲクーラ２２と、ＥＧＲ通路２１を開閉し当該ＥＧＲ通路２１を流れるＥＧＲガスの流量を制御するＥＧＲバルブ２３とを要素とする。ＥＧＲ通路２１の入口は、排気通路４における排気マニホルド４２またはその下流の所定箇所に接続している。ＥＧＲ通路２１の出口は、吸気通路３におけるスロットルバルブ３２の下流の所定箇所、具体的にはサージタンク３３に接続している。
【００１６】
本実施形態の内燃機関の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００１７】
ＥＣＵ０の入力インタフェースには、車両の実車速を検出する車速センサから出力される車速信号ａ、クランクシャフトの回転角度及びエンジン回転数を検出するクランク角センサから出力されるクランク角信号ｂ、アクセルペダルの踏込量またはスロットルバルブ３２の開度をアクセル開度（いわば、内燃機関に対する要求負荷）として検出するセンサから出力されるアクセル開度信号ｃ、排気通路４を流れる排気ガスの酸素濃度または空燃比を検出する空燃比センサから出力される空燃比信号ｄ、吸気通路３（特に、サージタンク３３）内の吸気温及び吸気圧を検出する温度・圧力センサから出力される吸気温・吸気圧信号ｅ、内燃機関の温度を示唆する冷却水温を検出する水温センサから出力される冷却水温信号ｆ、吸気カムシャフトまたは排気カムシャフトの複数のカム角にてカム角センサから出力されるカム角信号ｇ、車載のバッテリの端子電圧及び／または端子電流を検出するセンサから出力されるバッテリ電圧／電流信号ｈ等が入力される。
【００１８】
ＥＣＵ０の出力インタフェースからは、点火プラグ１２のイグナイタに対して点火信号ｉ、インジェクタ１１に対して燃料噴射（開弁）信号ｊ、スロットルバルブ３２に対して開度操作信号ｋ、ＥＧＲバルブ２３に対して開度操作信号ｌ等を出力する。
【００１９】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数及びアクセル開度を知得するとともに気筒１に充填される吸気量を推算する。そして、それらエンジン回転数、アクセル開度及び吸気量等に基づき、吸気量に見合った要求燃料噴射量、燃料噴射タイミング（一度の燃焼に対する燃料噴射の回数を含む）、燃料噴射圧、要求ＥＧＲ率（または、ＥＧＲ量）、点火タイミング等といった各種運転パラメータを決定する。ＥＣＵ０は、運転パラメータに対応した各種制御信号ｉ、ｊ、ｋ、ｌを出力インタフェースを介して印加する。
【００２０】
既に述べた通り、本実施形態における内燃機関は、各気筒１に対してそれぞれ燃料を噴射するインジェクタ１１を複数設置している。本実施形態では、一つの気筒１に対応する複数のインジェクタ１１の各々に個別に燃料噴射信号ｊを与えることができ（各インジェクタ１１の内蔵するソレノイドに個別に通電することができ）、それらインジェクタ１１を個別に開閉させることができる。
【００２１】
しかして、図２に示すように、本実施形態のＥＣＵ０は、エンジン回転数が所定値以下の低速であり、及び／または、車速が所定値以下の低速であることを条件として（ステップＳ１）、一つの気筒１に対応する複数のインジェクタ１１のうちの一方の開閉タイミングと他方の開閉タイミングとの間に時間差を設ける（ステップＳ２）、即ち他方のインジェクタ１１から燃料を噴射するタイミングを一方のインジェクタ１１から燃料を噴射するタイミングよりも遅らせる制御を実施する。ステップＳ２により、一方のインジェクタ１１の弁体が弁座に着座する閉弁のタイミングと、他方のインジェクタ１１の弁体が弁座に着座する閉弁のタイミングとの間に時間差が生ずることとなる。
【００２２】
一つの気筒１に対応する一方のインジェクタ１１の閉弁のタイミングと他方のインジェクタ１１の閉弁のタイミングとの間に設ける時間差は、インジェクタ１１の閉弁動作に起因して発生する騒音のピーク周波数に対応する波長の半分または約半分の大きさに設定する。例えば、騒音の周波数スペクトルが１．２ｋＨｚ近傍にピークの成分を持つのであれば、（１／１２００）×（１／２）≒４１７×１０-6、即ち４１７マイクロ秒だけ他方のインジェクタ１１の閉弁タイミングを一方のインジェクタ１１の閉弁タイミングから遅らせる。これにより、一方のインジェクタ１１から発生する騒音と、他方のインジェクタ１１から発生する騒音との間に半波長分の位相差が生じ、それらの騒音が互いに打ち消し合って沈静化することとなる。
【００２３】
エンジン回転数及び／または車速が所定値以下であることを条件として、一つの気筒１に対する各インジェクタ１１の燃料噴射のタイミングをずらすのは、アイドル運転時や低速運転時のような内燃機関及び駆動系から発生する他の騒音が比較的小さい状況下で、インジェクタ１１から発生する騒音がマスキングされずに顕在化するからであるが、各インジェクタ１１の燃料噴射のタイミングをずらしても内燃機関の燃焼効率または熱機械変換効率に悪影響を及ぼすおそれが極めて小さいからでもある。エンジン回転数が８００ｒｐｍの低回転域において、一方のインジェクタ１１の燃料噴射と他方のインジェクタの燃料噴射との間に４１７マイクロ秒の時間差を設ける場合、その時間差は内燃機関のクランクシャフトの回転角度に換算して約２°ＣＡ（クランク角度）分であり、十分に小さい。だが、エンジン回転数が５６００ｒｐｍの高回転域においては、その時間差は約１４°ＣＡ分に拡大する。
【００２４】
一方で、エンジン回転数または車速が上昇すると、内燃機関や駆動系が発する他の騒音、または車輪が発する騒音により、インジェクタ１１が発する動作音がマスキングされて目立たなくなる。従って、エンジン回転数が所定値以下の低速でなく、または車速が所定値以下の低速でない場合には、一つの気筒１に対応する複数のインジェクタ１１のうちの一方の開閉タイミングと他方の開閉タイミングとの間に時間差を設けない（ステップＳ３）、即ち一方のインジェクタ１１から燃料を噴射するのと同時または略同時に他方のインジェクタ１１からも燃料を噴射するように制御することが許される。
【００２５】
本実施形態では、一つの気筒１に対して複数のインジェクタ１１から燃料を噴射する内燃機関を制御するものであって、エンジン回転数または車速が所定値以下であるアイドル運転時または低速運転時において、一つの気筒１に対する複数のインジェクタ１１のうちの一方の閉弁タイミングと他方の閉弁タイミングとの間に時間差を設けることとし、その時間差を、インジェクタ１１の閉弁動作に伴い発生する騒音のピーク周波数に対応する波長の半分または約半分の大きさに設定する内燃機関の制御装置０を構成した。
【００２６】
本実施形態によれば、複数のインジェクタ１１から発生する騒音同士を打ち消し合わせることができ、インジェクタ１１の騒音によるＮＶ性能の低下を有効に回避できる。加えて、制御ソフトウェアの変更によりこれを実現でき、新たなハードウェアの追加を必要としないので、低コストである。
【００２７】
なお、本発明は以上に詳述した実施形態に限られるものではない。例えば、エンジン回転数が所定値以下の低速であり、及び／または、車速が所定値以下の低速である場合に、常に一つの気筒１に対する一方のインジェクタ１１の閉弁タイミングと他方のインジェクタ１１の閉弁タイミングとの間に時間差を設ける必要はない。インジェクタ１１から発生する騒音が顕在化するような他の条件が成立したときに限り各インジェクタ１１の閉弁タイミングに時間差を設けるようにしてもよいし、インジェクタ１１から発生する騒音の大きさをセンサを介して計測し、その計測した騒音の大きさが所定値を超えて大きいときに限り各インジェクタ１１の閉弁タイミングに時間差を設けるようにしてもよい。
【００２８】
また、本発明を、複数のインジェクタの各々から一つの気筒の燃焼室内に直接燃料を噴射する筒内噴射式（直噴）の内燃機関に適用することも可能である。
【００２９】
その他各部の具体的構成は、本発明の趣旨を逸脱しない範囲で種々変形が可能である。
【産業上の利用可能性】
【００３０】
本発明は、車両等に搭載される内燃機関の制御に適用できる。
【符号の説明】
【００３１】
０…制御装置（ＥＣＵ）
１…気筒
１１…インジェクタ
ｊ…燃料噴射信号
【図１】
2018135831.tif 000003
【図２】
2018135831.tif 000004